(57)【要約】【課題】例えば屋外で使用する長尺バーナー等の商品を梱包箱に詰め込んで輸送し、これを受領した店頭では、梱包を崩すことなく梱包箱の蓋を開封するだけで、容易に陳列スタンドへと変形できるようにした梱包箱兼用陳列スタンドを提供することを目的とする。【解決手段】側面部（２）を構成する４側面が連設した、１枚の段ボール（１００）から角筒状に折り上げられ、前記４側面は、各々折り目（Ｑ）、（Ｒ）を介して３又は４分割され、かつ、各々の稜線Ｘには折り目および切れ目を備える梱包箱（２００）であって、前記４側面を、前記折り目（Ｑ）、（Ｒ）を介して折曲するように押し下げることにより、前記４側面が、支脚（１０）、（１０）、（１０）、（１０）として立設されることを特徴とする梱包箱兼用陳列スタンドである。【選択図】図６
2007216974.tif 000002
【特許請求の範囲】
【請求項１】
側面部（２）を構成する４側面が連設した、１枚の段ボール（１００）から角筒状に折り上げられ、
前記４側面は、各々折り目を介して３又は４分割され、
かつ、各々の稜線Ｘには折り目および切れ目を備える梱包箱（２００）であって、
前記４側面を、前記折り目を介して折曲するように押し下げることにより、
前記４側面が、支脚（１０）、（１０）、（１０）、（１０）として立設されることを特徴とする梱包箱兼用陳列スタンド。
【請求項２】
側面部（２）を構成する４側面が連設した、１枚の段ボール（１００）から角筒状に折り上げられ、
前記４側面は、各々折り目を介して３又は４分割され、
かつ、各々の稜線Ｘには折り目および切れ目を備える梱包箱（２００）であって、
さらに、各々の前記稜線Ｘに沿ってジッパー片を備え、
このジッパー片を剥ぎ取るとともに、前記４側面を、前記折り目を介して折曲するように押し下げることにより、
前記４側面が、支脚（１０）、（１０）、（１０）、（１０）として立設されることを特徴とする梱包箱兼用陳列スタンド。
【請求項３】
前記段ボール（１００）は、
側面部（２）の両側に蓋面部（１）および底面部（３）が連設されることを特徴とする請求項１又は２記載の梱包箱兼用陳列スタンド。
【請求項４】
前記４側面の内、３側面は、各々折り目を介して３又は４分割され、
かつ、他の１側面は、切れ目Ｗを介して上下に２分割され、
前記３側面を前記折り目（Ｑ）、（Ｒ）を介して折曲するように押し下げることにより、
前記３側面が、支脚（１０）、（１０）、（１０）として立設され、
かつ、前記２分割された他の１側面は、前記切れ目Ｗにおいて重合されることを特徴とする請求項１、２又は請求項３記載の梱包箱兼用陳列スタンド。
【請求項５】
前記４側面の内、隣接する２側面は、各々折り目を介して３又は４分割され、
かつ、他の隣接する２側面は、切れ目Ｗを介して上下に２分割され、
前記隣接する２側面を、前記折り目を介して折曲するように押し下げることにより、
前記他の隣接する２側面が、支脚（１０）、（１０）として立設され、
かつ、前記２分割され他の隣接する２側面は、前記切れ目Ｗにおいて重合されることを特徴とする請求項１、２又は請求項３記載の梱包箱兼用陳列スタンド。
【請求項６】
前記切れ目Ｗは、ジッパー片を剥ぎ取った跡に形成されるジッパー切れ目からなることを特徴とする請求項４又は５記載の梱包箱兼用陳列スタンド。
【発明の詳細な説明】
【技術分野】
【０００１】
本発明は、商品を詰め込んだ梱包箱を、商品の出し入れ無しに陳列スタンドへと転用できる梱包箱兼用陳列スタンドに関する。詳しくは、野外で使用するバーナー等の長尺商品を、梱包箱に半ダース程度まとめて詰め込んで輸送し、これを受領した店頭では梱包を崩すことなく、そのまま中の商品を立てて陳列スタンドとして使用することができる梱包箱兼用陳列スタンドに関する。
【背景技術】
【０００２】
一般に、店頭では受領した梱包箱を開封し、梱包箱から商品を取り出して陳列棚へ移して並び換える。あるいは、梱包箱を開封しただけでそのまま陳列することが行われている。
【０００３】
あるいは、梱包箱の側面をテープで貼着するものが使用されている。この梱包箱を店頭にて多段積みにし、例えば、正面の側面の一方をカッターナイフ等で切り抜いて、その開口部から商品を露出させるようにして陳列する場合がある。
【０００４】
ところで、梱包と陳列兼用箱の使用については数々の方法がある。その一例として、大きさや形状の異なる多くの種類の部品からなる雨樋部品を部品ごとに梱包する段ボール箱を開封し、そのまま陳列棚に陳列することができるようにした雨樋部品の陳列方法が先に提案されている。（特許文献１参照）。
【０００５】
【特許文献１】特開２００３−２９１９５５号公報
【発明の開示】
【発明が解決しようとする課題】
【０００６】
以上の通りであって、従来の段ボール梱包箱スーツケースには、次のような問題点がある。
【０００７】
即ち、問題点の第一は、梱包箱を開封する作業および陳列棚に並び換える作業のために多大な工数を要する。そして、陳列棚に並べたときに、活用されない無駄なスペースが生じ、あるいは陳列するスペースが足りないという問題があった。
【０００８】
第二に、梱包箱の側面をカッターナイフで切り抜く方法では、手間がかかるだけでなく、積み上げた箱の開口部の破断縁の形状が不揃いになり見栄えが悪いという問題がある。
【０００９】
そこで、本発明は、例えば屋外で使用する長尺バーナー等の商品を梱包箱に詰め込んで輸送し、これを受領した店頭では、梱包を崩すことなく梱包箱の蓋を開封するだけで、容易に陳列スタンドへと変形できるようにした梱包箱兼用陳列スタンドを提供することを目的とする。
【課題を解決するための手段】
【００１０】
そこで、本発明者等は、通常の梱包箱の稜線に切れ目および、あるいはジッパー片を設けることに着目し、切れ目を設けた場合は勿論、ジッパー片を設けた場合でもジッパー片を剥ぎ取ることにより梱包箱から陳列スタンドへと変形できるという知見を得た。本発明の梱包箱兼用陳列スタンドはかかる知見を基に具現化したもので、請求項１の発明は、側面部（２）を構成する４側面が連設した、１枚の段ボール（１００）から角筒状に折り上げられ、前記４側面は、各々折り目を介して３又は４分割され、かつ、各々の稜線Ｘには折り目および切れ目を備える梱包箱（２００）であって、前記４側面を、前記折り目を介して折曲するように押し下げることにより、前記４側面が、支脚（１０）、（１０）、（１０）、（１０）として立設されることを特徴とする梱包箱兼用陳列スタンドである。
【００１１】
請求項２の発明は、側面部（２）を構成する４側面が連設した、１枚の段ボール（１００）から角筒状に折り上げられ、前記４側面は、各々折り目を介して３又は４分割され、かつ、各々の稜線Ｘには折り目および切れ目を備える梱包箱（２００）であって、さらに、各々の前記稜線Ｘに沿ってジッパー片を備え、このジッパー片を剥ぎ取るとともに、前記４側面を、前記折り目を介して折曲するように押し下げることにより、前記４側面が、支脚（１０）、（１０）、（１０）、（１０）として立設されることを特徴とする梱包箱兼用陳列スタンドである。
【００１２】
請求項３の発明は、請求項１又は２の発明の上記特徴に加えて、前記段ボール（１００）は、側面部（２）の両側に蓋面部（１）および底面部（３）が連設されることを特徴とする梱包箱兼用陳列スタンドである。
【００１３】
請求項４の発明は、請求項１、２又は３の発明の上記特徴に加えて、前記４側面の内、３側面は、各々折り目を介して３又は４分割され、かつ、他の１側面は、切れ目Ｗを介して上下に２分割され、前記３側面を前記折り目（Ｑ）、（Ｒ）を介して折曲するように押し下げることにより、前記３側面が、支脚（１０）、（１０）、（１０）として立設され、かつ、前記２分割された他の１側面は、前記切れ目Ｗにおいて重合されることを特徴とする梱包箱兼用陳列スタンドである。
【００１４】
請求項５の発明は、請求項１、２又は請求項３の発明の上記特徴に加えて、前記４側面の内、隣接する２側面は、各々折り目を介して３又は４分割され、かつ、他の隣接する２側面は、切れ目Ｗを介して上下に２分割され、前記隣接する２側面を、前記折り目を介して折曲するように押し下げることにより、前記他の隣接する２側面が、支脚（１０）、（１０）として立設され、かつ、前記２分割され他の隣接する２側面は、前記切れ目Ｗにおいて重合されることを特徴とする梱包箱兼用陳列スタンドである。
【００１５】
請求項６の発明は、請求項４又は５の発明の上記特徴に加えて、前記切れ目Ｗは、ジッパー片を剥ぎ取った跡に形成されるジッパー切れ目からなることを特徴とする梱包箱兼用陳列スタンドである。
【発明の効果】
【００１６】
本発明にかかわる梱包箱兼用陳列スタンドによれば、野外で使用するバーナー等の長尺商品を、梱包箱に半ダース程度まとめて詰め込んで輸送し、これを受領した店頭では梱包を崩すことなく、そのまま中の商品を立てて陳列スタンドとして使用することができる。その際、梱包箱から商品を取り出さず、蓋面部を開封して中の商品が見える状態にしたうえで、商品を長手方向に立てて陳列する構造なので、省スペースの観点から優れる。また、陳列スタンドは、支脚部が床面へ延びるデザイン性に富む構造なので、売り場の美観を損なうことなく、商品の購買意欲を低下させる恐れが無い。そして、梱包箱から商品を取り出してこれを棚へ移し替えて陳列する作業の手間がかからない。陳列スタンドから商品を取り出して中の数が少なくなっても、残りの商品が倒れることなく安定して陳列できる。また、梱包箱から陳列スタンドへ折り上げる際に、波目状の粗い切れ目を刻んだジッパー片を指先で容易に剥ぎ取り、陳列スタンドへと瞬時に変形できる等の作業性に優れる。
【発明を実施するための最良の形態】
【００１７】
本発明の実施の形態を、添付図面に例示した本発明の実施例に基づいて以下に具体的に説明する。
【実施例１】
【００１８】
先ず、本発明の実施例１ついて、図１〜図６を参照しながら説明する。本実施例では、梱包用の梱包箱２００を開封したあと、これを陳列スタンドへと形成する時４本の支脚１０が拡開、形成される。図１は、本実施例の梱包箱２００Ａの展開図で、段ボール１００Ａである。図２は、同上、梱包箱２００Ａの中へ複数の商品を挿入する状態図である。図３は、同上、梱包箱２００Ａに商品を梱包して蓋面部を閉じた状態の斜視図である。図４は、同上、梱包箱２００Ａの蓋面部を開封した状態の斜視図である。図５は、梱包箱２００Ａから陳列スタンド３００Ａへ折り上げる途中の状態の斜視図である。図６は、同上、陳列スタンド３００Ａの斜視図である。
【００１９】
ほぼ矩形状をした段ボール１００Ａには、所定の箇所に複数の折り目、切れ目が設けられているので、それらの設け方について以下に説明する。図１に示す矩形状輪郭内の実線は切れ目、点線は折り目、波目はジッパー切れ目を示し、他の実施例についても同様である。先ず、側面部２Ａを横断するように上下方向に折り目Ｐ、Ｑ、Ｒ、Ｓがそれぞれ平行に設けられ、この内、折り目Ｐ、Ｓによって、段ボール１００Ａは３分割され、左右方向に蓋面部１Ａ、側面部２Ａおよび底面部３Ａが形成される。さらに、他の折り目Ｑ、Ｒによって、側面部２Ａが左右方向に３分割される。側面部２Ａの１段目は、図示のように側面２１１Ａ、２１２Ａおよび２１３Ａに分割される。上から２段目、３段目および４段目も同様である。ここで、１段目の側面２１１Ａの左右長さが最も長く、次に側面２１２Ａが長く、側面２１３Ａが最も短い。２段目、３段目および４段目についても側面の左右方向の長さ関係は同様である。一方、左右方向の折り目、切れ目によって、蓋面部１Ａ、側面部２Ａおよび底面部３Ａが夫々上下方向に４分割される。即ち、蓋面部１Ａは、下方へ蓋面１１Ａ、１２Ａ、１３Ａおよび１４Ａに分割される。右端の底面部３Ａも同様に、下方へ底面３１Ａ、３２Ａ、３３Ａおよび３４Ａに分割される。
【００２０】
側面部２Ａの１段目上端部において、右方へ折り目Ｅ１、輪郭線、ジッパー切れ目Ｍ１、輪郭線および折り目Ｅ２が連続して一直線に繋がる。そして、２段目上方において、折り目Ｆ１、切れ目Ｊ１、ジッパー切れ目Ｎ１、切れ目Ｊ２および折り目Ｆ２が連続して一直線に繋がる。同様に、３、４段目についても折り目、切れ目、ジッパー切れ目、切れ目および折り目が連続して一直線に繋がる。これらが形成する連続した直線が後述する梱包箱の稜線Ｘを形成する。
【００２１】
ほぼ矩形状をした段ボール１００Ａの外方へはみ出して、折り目Ｅ１の外側に糊代片４１Ａ、ジッパー切れ目Ｍ１の外側に糊代片４２Ａおよび折り目Ｅ２の外側に糊代片４３Ａを備える。
【００２２】
また、１段目および３段目の側面には上下端部にジッパー片を備える。１段目の側面２１１Ａには、折り目Ｑに接して左側の上方にジッパー片５１Ａと下方にジッパー片５２Ａを備える。矩形状のジッパー片５１Ａの４辺は波目状のジッパー切れ目Ｍ１、Ｍ２、Ｍ３およびＭ４からなる。ジッパー片５２Ａについても同様である。さらに、上から３段目の側面２３１Ａにも上方にジッパー片５３Ａと下方にジッパー片５４Ａを備える。これらのジッパー片の周囲は、後で剥ぎ取り易いように波目状の粗い切れ目により構成される。
【００２３】
ここで、上下方向の折り目Ｑ、Ｒの起点は、夫々、糊代片４２Ａの右端部と糊代片４３Ａの左端部である。また、糊代片４２Ａの右端部とジッパー片５１Ａの右端部とが一致し、ジッパー片５１Ａ、５２Ａ、５３Ａおよび５４Ａのそれぞれ右端部は、折り目Ｑに沿って並ぶ。なお、ジッパー片５１Ａと糊代片４２Ａの左右方向長さは同じである。また、ジッパー片５１Ａ、５２Ａ、５３Ａおよび５４Ａの左右方向長さも同じである。
【００２４】
段ボール１００Ａは以上の構成であり、以下に先ず、段ボール１００Ａから梱包箱２００Ａへ折り上げる手順および作用について説明する。
【００２５】
段ボール１００Ａにおける側面部２Ａの２段目側面上方において、折り目Ｆ１、切れ目Ｊ１、ジッパー切れ目Ｎ１、切れ目Ｊ２および折り目Ｆ２が連続して一直線に繋がる。この直線に沿って１段目側面と２段目側面を直角に内側へ曲げ、同様に、３段目側面を直角に内側へ曲げ、次いで、４段目側面を直角に内側へ曲げる。最後に、１段目の外側に備える糊代片４１Ａ、４２Ａおよび４３Ａを直角に内側へ曲げて、これらを４段目側面の内面に貼着する。このようにして、側面部２Ａを構成する４側面が角筒体へと形成され、最後に、底面部３Ａの４底面を重ね折りして底面部を形成し、閉じる。この底面部に外からテープを貼着すると、梱包箱２００Ａが完成し、次いで、商品Ｚを詰め込む状態を図２に示す。ここで、段ボール１００Ａにおける側面部２Ａの２段目側面上方における折り目Ｆ１、切れ目Ｊ１、ジッパー切れ目Ｎ１、切れ目Ｊ２および折り目Ｆ２が連続した一直線は、角筒状に折り込まれて梱包箱２００Ａの稜線Ｘを形成する。他の３稜線Ｘについても同様である。この梱包箱２００Ａの中へ、商品Ｚを複数本縦長に整列して蓋面部１Ａの側から長手方向に挿入して蓋面部１Ａを閉じ、その上からテープを貼着すると顧客へ輸送できる梱包状態になり、図３に示す。
【００２６】
図３に示すように、梱包箱２００Ａの側面部の稜線Ｘに沿って備える４箇所のジッパー片は波目状の粗い切れ目を有するものの、各々のジッパー片が接ぎ手の機能を有するので隣接する側面同士が直角に連結され梱包箱として強度を保つ。また、ジッパー切れ目の箇所には隙間が形成されないので梱包箱２００Ａの中へ粉塵が侵入することもなく、中の商品を汚すことが無い。
【００２７】
次に、梱包箱から陳列スタンドへと折り上げる手順について説明する。梱包箱２００Ａを受領した店頭では、図４に示すように、蓋面部１Ａを開封して蓋面１１Ａ、１２Ａ、１３Ａおよび１４Ａを折り目から外側へ曲げて開く。次いで、稜線Ｘに沿ったジッパー切れ目Ｍ１、Ｍ２、Ｍ３およびＭ４からなるジッパー片５１Ａを剥ぎ取る。ジッパー切れ目は、波目状の粗い刻みが施されているので、指先でジッパー切れ目の端を摘んでジッパー片を容易に剥ぎ取ることができる。他の稜線Ｘに沿った３箇所のジッパー片５２Ａ、５３Ａおよび５４Ａについても同様に、ジッパー切れ目に沿って剥ぎ取る。そして、梱包箱２００Ａの蓋面部１Ａを上にして立て、次いで、外側へ開いた蓋面部１Ａを商品Ｚの長手方向に沿って底面部３Ａ方向へ押し下げる。この時、稜線Ｘに沿うジッパー片が剥ぎ取られているので、図５に示すように、隣同士の側面２１１Ａと側面２２１Ａの下方が離れて開く。即ち、側面２１１Ａと２２１Ａとはジッパー切れ目Ｎ１とＮ２の箇所で切り離され、また、これらの上部は切れ目Ｊ１の箇所で切り離される。このように、側面２１１Ａと２２１Ａとは上部の折り目Ｆ１の部位で連設されたまま、その下の切れ目、ジッパー切れ目において分離し、下方に向かって隣接する側面同士の間隙が拡がる。
【００２８】
ここで、側面部２Ａの三分割された各々の側面の長さの関係は、側面２１１Ａの長さが最も長く、次に側面２１２Ａが長く、側面２１３Ａが最も短い関係にある。従って、さらに、蓋面部１Ａを商品Ｚの長手方向に沿って底面部３Ａ方向へ押し下げると、側面２１３Ａは下方の角筒体の一面を構成したままなので、先ず、側面２１２Ａが折り目Ｒを介して、くの字に折れ曲がる。同時に、上方の側面２１１Ａは折り目Ｑから折れて、内側へ弓状に反る。この結果、側面２１１Ａと側面２１２Ａは折り目Ｑを外側へ突き出すように山形に折れ曲がり、側面２１２Ａは折り目Ｑを介して側面２１１Ａの裏側へ折れる。側面部２Ａの他の３側面についても同様である。
【００２９】
そして、蓋面部１Ａを商品Ｚの長手方向に沿って底面部３Ａ方向へ押し続けると、図６に示すように、側面２１１Ａの下方先端部の折り目Ｑは床面Ｙに近接する。同様にして、他の３側面の先端部の折り目Ｑも床面Ｙに近接する。同時に、側面２１１Ａが下方へ下がった分、商品Ｚが表に露出することになる。そして、さらに、蓋面部２Ａを商品Ｚの長手方向に沿って押し下げると、商品Ｚが外に出るに従い側面２１１Ａは内側へ凹面状に湾曲する。一方、側面２１２Ａは折り目Ｑ、Ｒを介して側面２１１Ａの裏側へ鋭角に折れ、終には折り目Ｑが床面Ｙに接触する。他の側面部２Ａについても同様に、折り目Ｑが床面Ｙに接触する。このようにして、陳列スタンド３００Ａが完成し、側面部２Ａの下方は側面が凹面状に反り返る。その結果、折れ曲がった側面の下方先端部の折り目Ｑが床面Ｙに踏ん張り、側面部２Ａが４本の支脚１０として形成、立設されて商品Ｚを支える。一方、上方は商品Ｚが外に剥き出しになるので陳列スタンドとしての機能を有する。即ち、野外で使用するバーナー等の長尺商品を、梱包箱に半ダース程度まとめて詰め込んで輸送し、これを受領した店頭では梱包を崩すことなく、そのまま中の商品を立てて陳列スタンドとして使用することができる。
【００３０】
以上、支脚１０は内側へ凹面状に湾曲する面として形成されることを説明した。支脚１０の湾曲度は、側面部２Ａの大、中、小三分割長さの比によって変わる。支脚１０の先端部の折り目Ｑが外方へ突き出るほど支脚１０の湾曲度が大きくなり、床面Ｙへの座り度合いも増して重厚長大の商品を安定して支えることができる。また、支脚１０の湾曲度が大きくなると、陳列台から梱包箱へと形状が戻り難いという効果を奏する。一方、支脚１０の湾曲度が小さく平坦面に近くなるにつれ、段ボールの折り癖により陳列台から梱包箱へと形状が戻り易いが、下方から充分商品を支えることができ陳列台として支障がない。
【００３１】
本実施例では、側面部２Ａの３分割の長さは、１段目の側面２１１Ａの左右長さが最も長く、次に側面２１２Ａが長く、側面２１３Ａが最も短い。２段目、３段目および４段目についても側面の長さ関係は同様であるとして説明した。ただし、側面部２Ａの３分割の長さ比は、大、中、小の関係を保つことにより支脚１０は内側へ凹面状に湾曲する面として形成される。支脚１０が湾曲面に形成される場合、陳列スタンドの支脚１０としては床面へ踏ん張りが強く最も良好に形成され、上方の商品Ｚの重みによって支脚１０がぐらつくことがない。これらのことは、以下、側面部２を３分割した実施例２、３、４、５および６についても同様である。
【実施例２】
【００３２】
次に、本発明の実施例２ついて、図７を参照しながら説明する。図７は、本実施例の梱包箱２００の展開図で、段ボール１００Ｂである。
【００３３】
本実施例の実施例１との主たる相違点は、側面部の外側に備える糊代片の長さを側面部の全長まで拡大するとともに、ジッパー片を側面部の左右に拡大したところにある。以下、実施例１と相違する箇所について主に説明する。
【００３４】
図７に示すように、段ボール１００Ｂは、上下方向に側面部が４分割され、側面部２Ｂの１段目上端部において、右方へ折り目Ｅ１、ジッパー切れ目Ｔ１および折り目Ｅ２が連続して一直線に繋がる。そして、２段目上端部において、折り目Ｆ１、ジッパー切れ目Ｕ１および折り目Ｆ２が連続して一直線に繋がる。同様に、３、４段目についても折り目、ジッパー切れ目および折り目が連続して一直線に繋がる。
【００３５】
ほぼ矩形状をした段ボール１００Ｂにおいて、連続する折り目Ｅ１、ジッパー切れ目Ｔ１および折り目Ｅ２の外側に糊代片４４Ｂを備える。
【００３６】
段ボール１００Ｂの側面２Ｂにおける１段目及び３段目の側面には上下端部にジッパー片を備える。１段目の側面には、上方に左右方向途中から折り目Ｒまでジッパー片５５Ｂと下方にジッパー片５６Ｂを備える。即ち、これらのジッパー片は側面２１１Ｂの途中から側面２１２Ｂまで跨る。矩形状のジッパー片５５Ｂの４辺は波目状のジッパー切れ目Ｔ１、Ｔ２、Ｔ３およびＴ４からなる。ジッパー片５６Ｂについても同様である。さらに、上から３段目の側面２３１Ｂにも上方にジッパー片５７Ｂと下方にジッパー片５８Ｂを備える。
【００３７】
段ボール１００Ｂは以上の構成であり、梱包箱から陳列スタンドへと折り上げる手順は実施例１とほぼ同様であり、また、同様の要領により折り上げることができる。以下に、折り上げ手順および作用について説明する。
【００３８】
段ボール１００Ｂから梱包箱２００へと折り上げた時、梱包箱２００の各々の稜線に沿って備えるジッパー片は、波目状の粗い切れ目を有するものの隣接する側面同士が直角に連結され、梱包箱として強度を充分有する。従って、商品を中に詰め込んで梱包箱とした時、稜線部における強度は向上し、また、外から粉塵が侵入して商品を汚すようなことがない。一方、各々のジッパー片を容易に剥ぎ取ることができるので、陳列スタンドへ折り上げるに際して支障は無く、床面Ｙの４方に支脚１０が立設され、踏ん張った陳列スタンドが完成する。
【実施例３】
【００３９】
次に、本発明の実施例３ついて、図８を参照しながら説明する。図８は、本実施例の梱包箱２００の展開図で、段ボール１００Ｃである。
【００４０】
本実施例の実施例１との主たる相違点は、側面部２Ｃにジッパー片を無くしたところにある。以下、実施例１と相違する箇所について主に説明する。
【００４１】
図８に示すように、段ボール１００Ｃは、上下方向に側面部２Ｃが４分割され、側面部２Ｃの１段目上端部において、右方へ折り目Ｅ１、輪郭線および折り目Ｅ２が連続して一直線に繋がる。そして、２段目上方において、折り目Ｆ１、切れ目Ｖ１、Ｖ２および折り目Ｆ２が連続して一直線に繋がる。同様に、３、４段目についても折り目、切れ目、切れ目および折り目が連続して一直線に繋がる。
【００４２】
ほぼ矩形状をした段ボール１００Ｃにおいて、折り目Ｅ１の外側に糊代片４５Ｃ、折り目Ｅ２の外側に糊代片４６Ｃを備える。
【００４３】
段ボール１００Ｃは以上の構成であり、以下に梱包箱から陳列スタンドへと折り上げる手順は実施例１とほぼ同様であり、同様の要領により折り上げることができる。次に作用について説明する。
【００４４】
段ボール１００Ｃから梱包箱２００へと折り上げた時、梱包箱の各々の稜線に切れ目を備える。そして、これらの稜線の両端部に折り目を備えているので、隣接する側面同士は両端部において連結される。従って、商品を中に詰め込んで梱包箱とした時、角筒体の強度上の支障は無い。また、ジッパー片を備えていないので、これを剥ぎ取る手間を必要とせず、各々のジッパー片をゴミ処理する必要も無い。床面Ｙの４方に支脚１０が立設され、踏ん張った陳列スタンドができあがる。
【実施例４】
【００４５】
次に、本発明の実施例４ついて、図９〜図１２を参照しながら説明する。本実施例では、梱包箱２００を開封したあと、これを陳列スタンドへと形成する時に、２本あるいは３本の支脚１０が拡開、形成される。図９は、本実施例の梱包箱２００Ｄの展開図で、段ボール１００Ｄである。図１０は、同上、梱包箱２００Ｄの蓋面部を開封した状態の斜視図である。図１１は、梱包箱２００Ｄから陳列スタンド３００Ｄへ折り上げる途中の状態の斜視図である。図１２は、同上、陳列スタンド３００Ｄの斜視図である。
【００４６】
本実施例の実施例１との主たる相違点は、陳列スタンドの支脚１０が２または３本立設されるところにある。以下、実施例１と相違する箇所について主に説明する。
【００４７】
図９に示すように、段ボール１００Ｄは、上下方向に側面部が４分割され、側面部２Ｄの１段目上端部において、右方へ折り目Ｅ１、輪郭線、ジッパー切れ目Ｍ１、輪郭線および折り目Ｅ２が連続して一直線に繋がる。そして、２段目上方において、折り目Ｆ１、切れ目Ｊ１、ジッパー切れ目Ｎ１、切れ目Ｊ２および折り目Ｆ２が連続して一直線に繋がる。同様に、３、４段目についても折り目、切れ目、ジッパー切れ目、切れ目および折り目が連続して一直線に繋がる。
【００４８】
ほぼ矩形状をした段ボール１００Ｄにおいて、折り目Ｅ１の外側に糊代片４７Ｄ、ジッパー切れ目Ｍ１の外側に糊代片４８Ｄおよび折り目Ｅ２の外側に糊代片４９Ｄを備える。
【００４９】
側面部２Ｄの３段目において、側面が切れ目Ｗを介して側面２３１Ｄと２３３Ｄとに２分割される。ここで、切れ目Ｗはジッパー片６１Ｄとジッパー片６２Ｄとの間の側面を横断するように形成される。
【００５０】
実施例１と同様に、段ボール１００Ｄにおいて上下方向に折り目Ｐ、Ｑ、Ｒ、Ｓがそれぞれ平行に設けられる。ここで、上下方向に折り目Ｑ、Ｒの起点は、夫々、糊代片４８Ｄの右端部と糊代片４９Ｄの左端部である。また、糊代片４８Ｄの右端部とジッパー片５９Ｄの右端部とが一致し、折り目Ｑはジッパー片５９Ｄの右端部から４段の側面部を横断するように下方へ設けられるが、側面部２Ｄの３段目においてのみ分断される。同様に、折り目Ｒも糊代片４９Ｄの左端部から側面部を横断するように設けられるが、側面部の３段目においてのみ分断される。
【００５１】
段ボール１００Ｄは以上の構成であり、図１に示す実施例１の段ボール１００Ａを基本として側面部２Ｄの３段目において切れ目Ｗを付加したものである。以下に梱包箱から陳列スタンドへと折り上げる手順は実施例１とほぼ同様であり、同様の要領により折り上げることができる。段ボール１００Ｄから梱包箱２００Ｄへと折り上げた時、梱包箱２００Ｄの稜線Ｘに沿う４箇所のジッパー片は波目状の粗い切れ目を有するものの、各々のジッパー片が接ぎ手の機能を有するので隣接する隣接する側面同士が直角に連結され梱包箱として強度を充分有する。４側面の内、１側面のみは側面２３１Ｄと２３３Ｄとの間に側面を横断するように切れ目Ｗを備えるが、この切れ目Ｗの両端はジッパー片６１Ｄ、６２Ｄを介して、隣接する側面と連設している。従って、商品を中に詰め込んで梱包箱とした時、側面２３１Ｄと２３３Ｄとは切れ目Ｗによる不連続箇所を生じることになるが強度上の問題はない。また、稜線Ｘに沿うジッパー切れ目の箇所には隙間が形成されないので梱包箱２００Ｄの中へ粉塵が侵入することもなく、中の商品を汚すことが無い。
【００５２】
次に、梱包箱から陳列スタンドへと折り上げる手順および作用について説明する。梱包箱２００Ｄを受領した顧客は、裏側から見た図１０に示すように、蓋面部１Ｄを開封して蓋面１１Ｄ、１２Ｄ、１３Ｄおよび１４Ｄを折り目から外側へ曲げて開く。次いで、ジッパー切れ目沿ってジッパー片６１Ｄを剥ぎ取る。他の３箇所のジッパー片５９Ｄ、６０Ｄおよび６２Ｄについても同様に、ジッパー切れ目に沿って剥ぎ取る。そして、梱包箱２００Ｄの蓋面部１Ｄを上にして立て、次いで、外側へ曲げて開いた蓋面部１Ｄを商品Ｚの長手方向に沿って押し下げる。正面側から見た図１１に示すように、稜線Ｘに沿うジッパー片が剥ぎ取られているので、隣接する側面２１１Ｄと側面２２１Ｄの下方が離れて開く。即ち、側面２１１Ｄと２２１Ｄとはジッパー切れ目Ｎ１とＮ２の箇所で切り離され、また、これらの上部は切れ目Ｊ１の箇所で切り離される。側面２１１Ｄと２２１Ｄとは上部の折り目Ｆ１の部位で連設されたままなので、その下の切れ目、ジッパー切れ目において分離し、下方に向かって隣接する側面同士の間隙が拡がる。
【００５３】
ここで、ダンボール１００Ｄにおける側面部２Ｄの３段目の側面を除く他の３側面において、三分割された各々の側面の長さの関係は、側面２１１Ｄの長さが最も長く、次に側面２１２Ｄが長く、側面２１３Ｄが最も短い関係にある。さらに、蓋面部１Ｄを商品Ｚの長手方向に沿って底面部３Ｄ方向へ押し下げると、側面２１３Ｄは下方の角筒体の一面を構成したままなので、先ず、側面２１２Ｄが折り目Ｒを介して、くの字に折れ曲がる。同時に、上方の側面２１１Ｄは折り目Ｑから折れて、内側へ弓状に反る。この結果、側面２１１Ｄと側面２１２Ｄは折り目Ｑを外側へ突き出すように山形に折れ曲がり、側面２１２Ｄは折り目Ｑを介して側面２１１Ｄの裏側へ折れる。側面部２Ｄの他の２側面についても同様である。
【００５４】
そして、蓋面部１Ｄを商品Ｚの長手方向に沿って底面部３Ｄ方向へ押し続けると、図１１に示すように、側面２１１Ｄの下方先端部の折り目Ｑは床面Ｙに近接する。同様にして、他の２側面も曲がり、折り目Ｑは床面Ｙに近接する。同時に、側面２１１Ｄが下方へ下がった分、商品Ｚが表に出ることになる。そして、さらに蓋面部１Ｄを商品Ｚの長手方向に沿って押し下げると、商品Ｚが表へ出るに従い側面２１１Ｄは内側へ凹面状に湾曲する。一方、側面２１２Ｄは折り目Ｑ、Ｒを介して側面２１１Ｄの裏側へ鋭角に折れ、終には折り目Ｑが床面Ｙに接触する。
【００５５】
この時、残りの側面部２Ｄの側面２３１Ｄと２３３Ｄが切れ目Ｗによって分離しているので、蓋面部１Ｄの部位を商品Ｚの長手方向に沿って押し下げると、側面２３１Ｄは側面２３３Ｄの外側から被さるように下がる。そして、終には、図１２に示すように、側面２３１Ｄが外側から側面２３３Ｄに重合した平坦面が形成される。
【００５６】
このようにして、３本の支脚１０が拡開して凹面状に形成され、残りの１側面が平坦面を形成する。この上方は商品Ｚが外に剥き出しになるので陳列スタンドとしての機能を有する。即ち、野外で使用するバーナー等の長尺商品を、梱包箱に半ダース程度まとめて詰め込んで輸送し、これを受領した店頭では梱包を崩すことなく、そのまま中の商品を立てて陳列スタンドとして使用することができる。
【００５７】
図１１に示すように、陳列スタンド３００Ｄの正面側から見ると、側面部２Ｄの下方は側面が内側へ反り返る。その結果、強固な３本の支脚１０として拡開し、凹面状に形成され床面Ｙに踏ん張る。一方、図１２に示すように、陳列スタンド３００Ｄの裏側は、蓋面部１Ｄを商品Ｚの長手方向に沿って押し下げると、外側から側面２３１Ｄが側面２３３Ｄに被さるように下がる。そして、終には、外側から側面２３１Ｄが側面２３３Ｄに重合した平坦面が形成される。このため、この平坦面には外方に出っ張った支脚１０が形成されないので、この平坦面を店頭の壁に向けて陳列スタンド３００Ｄを配置することができ、店頭の床面を有効に活用することができる。
【００５８】
本実施例では、段ボール１００Ｄは以上の構成であり、図１に示す実施例１のような稜線にジッパー片を備える段ボール１００Ａを基本として、この内、１側面に切れ目Ｗを付加したものである。他に、図７に示す実施例２のような長めのジッパー片を備える段ボール１００Ｂを基本として、この内、１側面に切れ目Ｗを付加したものでもよい。また、図８に示す実施例３のような稜線に沿ってジッパー片の無い段ボール１００Ｃを基本として、この内、１側面に切れ目Ｗを付加したものでもよい。そして、後述する図１４に示す実施例６のような蓋面部および底面部の無い段ボール１００ＡＡを基本として、この内、１側面に切れ目Ｗを付加したものでもよい。
【００５９】
本実施例では、３本の支脚１０を備える陳列スタンドについて説明したが、２本の支脚１０を備える陳列スタンドも可能である。この場合、前述した側面２３１Ｄと２３３Ｄに隣接する側面に同じように切れ目Ｗを設けると２側面が重合した平坦面が、隣接して形成される。一方、他方の隣接する２側面には、２側面が折り目Ｑの位置から折れて内側へ反り返って湾曲した２本の支脚１０が立設される。店頭の角隅部に２本の支脚を備える陳列スタンドを配置することにより、デッドスペースとなりがちな店頭における隅部を有効に活用できる。
【００６０】
この２本の支脚１０を有する陳列スタンドについても、図１に示す実施例１のような稜線にジッパー片を備える段ボール１００Ａを基本として、この内、隣接する２側面に各々切れ目Ｗを付加したものである。他に、図７に示す実施例２のような長めのジッパー片を備える段ボール１００Ｂを基本として、この内、隣接する２側面に各々切れ目Ｗを付加したものでもよい。また、図８に示す実施例３のような稜線に沿ってジッパー片の無い段ボール１００Ｃを基本として、この内、隣接する２側面に各々切れ目Ｗを付加したものでもよい。そして、後述する図１４に示す実施例６のような蓋面部および底面部の無い段ボール１００ＡＡを基本として、この内、隣接する２側面に各々切れ目Ｗを付加したものでもよい。
【実施例５】
【００６１】
次に、本発明の実施例５ついて、図１３を参照しながら説明する。本実施例では、梱包箱２００を開封したあと、これを陳列スタンドへと形成する時、２または３本の支脚１０が拡開、形成される。図１３は、同上、梱包箱２００Ｄ‘の蓋面部を開封した状態の斜視図である。
【００６２】
本実施例の実施例４との主たる相違点は、梱包箱の側面部の内、１側面に切れ目Ｗの代わりに、側面を横断するジッパー片を設けるところにある。そして、このジッパー片を剥がすことにより陳列スタンドへと形成するところにある。以下、実施例４と相違する箇所について主に説明する。
【００６３】
梱包箱から陳列スタンドへと折り上げる手順および作用について説明する。梱包箱２００Ｄ‘を受領した顧客は、裏側から見た図１３に示すように、蓋面部１Ｄ‘を開封して蓋面１１Ｄ‘、１２Ｄ‘、１３Ｄ‘および１４Ｄ‘を折り目から外側へ曲げて開く。次いで、稜線Ｘに沿って備えるジッパー切れ目に沿ってジッパー片６１Ｄ‘を剥ぎ取る。他の３箇所のジッパー片５９Ｄ‘、６０Ｄ‘および６２Ｄ‘についても同様に、ジッパー切れ目に沿って剥ぎ取る。また、４側面の内、１側面のみは側面２３１Ｄ‘と２３３Ｄ‘との間に側面を横断するようにジッパー片６３Ｄ‘を設けるが、このジッパー片６３Ｄ‘の両端はジッパー片６１Ｄ‘、６２Ｄ‘を介して、隣の側面と連設している。このジッパー片６３Ｄ‘についても、ジッパー切れ目に沿って剥ぎ取る。そして、梱包箱２００Ｄ‘の蓋面部１Ｄ‘を上にして立て、次いで、外側へ曲げて開いた蓋面部１Ｄ‘を商品Ｚの長手方向に沿って押し下げる。稜線Ｘに沿うジッパー片が剥ぎ取られているので、隣接する側面同士の下方が離れて開く。また、側面の上部は切れ目の箇所で切り離され、上部の折り目の部位で連設されたままなので、下方で隣接する側面同士の間隙が拡がる。
【００６４】
さらに、蓋面部１Ｄ‘を商品Ｚの長手方向に沿って底面部３Ｄ‘方向へ押し下げると、３側面において折り目Ｑを外側へ突き出すように各々の側面が折れ曲がり３本の支脚１０として立設される。一方、この時、残りの側面部２Ｄの側面２３１Ｄ‘と２３３Ｄ’とがジッパー片６３Ｄ‘を剥がしたことによって分離されているので、蓋面部１Ｄ‘を商品Ｚの長手方向に沿って押し下げると、側面２３１Ｄ’は側面２３３Ｄ‘に外側から被さるように下がる。そして、終には、外側から側面２３１Ｄ’が側面２３３Ｄ‘に重合した平坦面が形成される。このようにして、３側面は３本の支脚１０として拡開、凹面状に形成され、他の１側面は平坦状に形成される。これらの３側面が強固な支脚１０として反り返って床面Ｙに踏ん張り、陳列スタンド３００として完成する。
【００６５】
実施例４の２本の支脚１０を有する陳列スタンドの場合でも、梱包箱の側面部の４側面の内、隣接する２側面において切れ目の代わりに、側面を横断するように各々ジッパー片を設け、前述した３本の支脚１０を有する陳列スタンドの場合と同様に、これらのジッパー片を剥がすことにより２本の支脚１０を有する陳列スタンドへと形成することができる。
【実施例６】
【００６６】
先ず、本発明の実施例６ついて、図１４、図１５を参照しながら説明する。図１４は、本実施例の梱包箱の展開図で、段ボール１００ＡＡである。図１５は、同上、陳列スタンド３００ＡＡの斜視図である。
【００６７】
本実施例の実施例１との主たる相違点は、段ボール１００ＡＡは側面部のみからなり蓋面部および底面部が無いところにある。以下、実施例１と相違する箇所について主に説明する。
【００６８】
側面部２ＡＡの４側面を直角に内側へ曲げる。最後に、１段目の外側に備える糊代片４１ＡＡ、４２ＡＡおよび４３ＡＡを直角に内側へ曲げて、これらを４段目側面の内面に貼着する。このようにして、側面部２ＡＡの４側面が角筒状に形成される。この中に、商品Ｚを詰め込み、次いで、角筒状に形成された両側から別個に用意した蓋部材および底部材をテープで貼着すると、顧客へ輸送できる梱包状態になる。
【００６９】
梱包箱を受領した店頭では、貼着したテープを剥がして蓋部材のみを外し、次いで、稜線Ｘに備えるジッパー片５１ＡＡ、５２ＡＡ、５３ＡＡおよび５４ＡＡを剥ぎ取る。そして、外した蓋部位を上にして立て、次いで、側面部２ＡＡを商品Ｚの長手方向に沿って下方へ押し下げる。このようにして、図１５に示すように、上部に蓋面部の無い陳列スタンド３００ＡＡが完成し、側面部２ＡＡの下方は内側へ凹面状に反り返る。その結果、折れ曲がった側面の下方先端部の折り目Ｑが床面Ｙに踏ん張り、４本の支脚１０として立設され商品Ｚを支える。
【００７０】
本実施例では、段ボール１００ＡＡは側面部のみからなり、蓋面部および底面部を無くしたことで説明した。実施例１の他、実施例２、３、４、５についても蓋面部および底面部を無くしても、同様に陳列スタンドへと形成することができる。
【００７１】
本実施例では、段ボール１００ＡＡは側面部のみからなり、蓋面部および底面部の両方とも無くすことで説明したが、蓋面部あるいは底面部のどちらか一方を有するものでもよい。そして、角筒状に形成された両端部のいずれかに、別個に用意した蓋部材あるいは底部材をテープで貼着することにより、梱包箱を形成することでもよい。
【実施例７】
【００７２】
先ず、本発明の実施例７ついて、図１６〜図２１を参照しながら説明する。図１６は、本実施例の梱包箱の展開図で、段ボール１００ａである。図１７は、段ボール１００ａから折り上げた陳列スタンド３００ａの斜視図である。図１８は、本実施例の梱包箱の展開図で、段ボール１００ｂである。図１９は、本実施例の梱包箱の展開図で、段ボール１００ｃである。図２０は、本実施例の梱包箱の展開図で、段ボール１００ｄである。図２１は、本実施例の梱包箱の展開図で、段ボール１００ａａである。
【００７３】
本実施例７の実施例１〜６との主たる相違点は、段ボール１００の側面部に折れ目を一本追加して側面部を４分割にしたところにある。以下、実施例１〜６と相違する箇所について主に説明する。
【００７４】
実施例１と同様に、図１６の段ボール１００ａにおいて上下方向に折り目Ｐ、Ｑ、Ｒ、Ｓがそれぞれ平行に設けられる。ここで、上下方向に折り目Ｑ、Ｒの起点は、夫々、糊代片４２ａの右端部と糊代片４３ａの左端部である。また、糊代片４２ａの右端部とジッパー片５１ａの右端部とが一致し、折り目Ｑはジッパー片５１ａの右端部から４段の側面部を横断するように下方へ設けられる。同様に、折り目Ｒも糊代片４３ａの左端部から側面部を横断するように設けられる。本実施例では、上下方向に折り目Ｐ、Ｑ、Ｒ、Ｓの他に、折り目Ｐと折り目Ｑとの間に折り目Ｑ‘を設ける。折り目Ｑ‘を追加することによって、側面２ａは左右方向に４分割される。即ち、側面２１１ａ、側面２２１ａ、側面２３１ａ、および、側面２４１ａが折り目Ｑ‘によって左右に分割される。ここで、側面部２ａの分割された各々の側面の長さの関係は、折り目Ｑ‘と折り目Ｑとの間の寸法が最も長く、次に折り目Ｑと折り目Ｒとの間が長く、そして、折り目Ｒと折り目Ｓとの間が最も短い関係を保つように折り目Ｐ、Ｑ‘、Ｑ、Ｒ、Ｓが設けられる。この大、中、小の寸法の関係は、以下に述べる図１８の段ボール１００ｂ、図１９の段ボール１００ｃ、図２０の段ボール１００ｄおよび、図２１の段ボール１００ａａについても同様である。また、折り目Ｑ‘は、折り目Ｐと折り目Ｑとの間に設けられるが、折り目Ｑ‘が折り目Ｐに最も寄った場合について説明する。図１６の段ボール１００ａ、図１９の段ボール１００ｃ、図２０の段ボール１００ｄおよび図２１の段ボール１００ａａにおいては、折り目Ｑ‘の起点は夫々糊代片４１ａ、４５ｃ、４７ｄおよび４１ａａの右端であり、これらの部位から折り目Ｐに平行に下方へ設けられる。図１８の段ボール１００ｂでは、折り目Ｑ‘の起点はジッパー片５５ｂの左端であり、この部位から折り目Ｐに平行に下方へ設けられる。
【００７５】
段ボール１００ａは以上の構成であり、図１に示す実施例１の段ボール１００Ａを基本として側面部２ａに折り目Ｑ‘を追加することによって左右方向に４分割したものである。以下に梱包箱から陳列スタンドへと折り上げる手順は実施例１とほぼ同様であり、同様の要領により折り上げることができる。
【００７６】
そして、蓋面部１ａを商品Ｚの長手方向に沿って底面部３ａ方向へ押し続けると、図１７に示すように、側面２１１ａの下方先端部の折り目Ｑは床面Ｙに近接する。同様にして、他の３側面の先端部の折り目Ｑも床面Ｙに近接する。そして、さらに、蓋面部２ａを商品Ｚの長手方向に沿って押し下げると、側面２１１ａは折り目Ｑ‘の箇所において、内側へくの字状に曲がって折り目Ｑ‘から折り目Ｑの間は平坦面に形成される。そして、終には側面２１１ａ、２２１ａ、２３１ａおよび２４１ａは、各々折り目Ｑ’ の部位で更に折れ、くの字状に曲がって折り目Ｑ‘から折り目Ｑの間は平坦面に形成される。このようにして、陳列スタンド３００ａが完成し、折り目Ｑ、Ｑ、ＱおよびＱが床面Ｙに踏ん張る。
【００７７】
他の展開図の、段ボール１００ｂ、段ボール１００ｃ、段ボール１００ｄおよび、段ボール１００ａａでも、側面部に折り目Ｑ‘を追加した場合、同様に支脚１０がくの字状に曲がって折り目Ｑ‘から折り目Ｑの間が平坦面に形成される。即ち、図１８に示す段ボール１００ｂを陳列スタンドに折り上げた時、側面２１１ｂ、２２１ｂ、２３１ｂおよび２４１ｂは、折り目Ｑ‘の部位で折れ、折り目Ｑ‘から折り目Ｑの間は平坦面に形成される。図１９に示す段ボール１００ｃを陳列スタンドに折り上げた時、側面２１１ｃ、２２１ｃ、２３１ｃおよび２４１ｃは、折り目Ｑ‘の部位で折れ、折り目Ｑ‘から折り目Ｑの間は平坦面に形成される。図２０に示す段ボール１００ｄを陳列スタンドに折り上げた時、側面２１１ｄ、２２１ｄおよび２４１ｄは、折り目Ｑ‘の部位で折れ、折り目Ｑ‘から折り目Ｑの間は平坦面に形成される。また、図２１に示す段ボール１００ａａを陳列スタンドに折り上げた時、側面２１１ａａ、２２１ａａ、２３１ａａおよび２４１ａａは、折り目Ｑ‘の部位で折れ、折り目Ｑ‘から折り目Ｑの間は平坦面に形成される。
【産業上の利用可能性】
【００７８】
なお、本発明の梱包箱兼陳列スタンドの使途は長尺のバーナーの他、ゴルフのドライバー等用具、釣り竿、棒状の蛍光灯、花等が梱包箱に詰め込まれて輸送される。それらを受領した店頭では、開封後梱包箱を立てて支脚を形成し陳列スタンドとして転用できる。
【図面の簡単な説明】
【００７９】
【図１】実施例１の梱包箱２００Ａの展開図で、段ボール１００Ａを示す。
【図２】同上、梱包箱２００Ａの中へ複数の商品を挿入する状態の斜視図である。
【図３】同上、梱包箱２００Ａに商品を梱包して蓋面部を閉じた状態の斜視図である。
【図４】同上、梱包箱２００Ａの蓋面部を開封した状態の斜視図である。
【図５】同上、梱包箱２００Ａから陳列スタンド３００Ａへ折り上げる途中の状態の斜視図である。
【図６】同上、陳列スタンド３００Ａの斜視図である。
【図７】実施例２の梱包箱２００Ｂの展開図で、段ボール１００Ｂを示す。
【図８】実施例３の梱包箱２００Ｃの展開図で、段ボール１００Ｃを示す。
【図９】実施例４の梱包箱２００Ｄの展開図で、段ボール１００Ｄを示す。
【図１０】同上、梱包箱２００Ｄの蓋面部を開封した状態の斜視図である。
【図１１】同上、陳列スタンド３００Ｄを正面側から見た斜視図である。
【図１２】同上、陳列スタンド３００Ｄを裏面側から見た斜視図である。
【図１３】実施例５の梱包箱２００Ｄ‘の蓋面部を開封した状態の斜視図である。
【図１４】実施例６の梱包箱２００ＡＡの展開図で、段ボール１００ＡＡを示す。
【図１５】同上、陳列スタンド３００ＡＡを正面側から見た斜視図である。
【図１６】実施例７の梱包箱の展開図で段ボール１００ａを示す。
【図１７】同上、陳列スタンド３００ａの斜視図である。
【図１８】同上、梱包箱の展開図で段ボール１００ｂを示す。
【図１９】同上、梱包箱の展開図で段ボール１００ｃを示す。
【図２０】同上、梱包箱の展開図で段ボール１００ｄを示す。
【図２１】同上、梱包箱の展開図で段ボール１００ａａを示す。
【符号の説明】
【００８０】
１００Ａ、１００Ｂ、１００Ｃ、１００Ｄ、１００ａ、１００ｂ、１００ｃ、１００ｄ、１００ａａ（１００）  段ボール
２００Ａ、２００ＡＡ、２００Ｄ、２００Ｄ‘（２００）  梱包箱
３００Ａ、３００ＡＡ、３００Ｄ、３００ａ（３００）  陳列スタンド
１Ａ、１Ｂ、１Ｃ、１Ｄ、１ａ、１ｂ、１ｃ、１ｄ（１）  蓋面部
１１Ａ、１２Ａ、１３Ａ、１４Ａ  蓋面
２Ａ、２Ｂ、２Ｃ、２Ｄ、２ａ、２ｂ、２ｃ、２ｄ、２ａａ（２）  側面部
２１１Ａ、２２１Ａ、２３１Ａ、２４１Ａ、２１２Ａ、２２２Ａ、２３２Ａ、２４２Ａ、２１３Ａ、２２３Ａ、２３３Ａ、２４３Ａ  側面
２１１Ｂ、２２１Ｂ、２３１Ｂ、２４１Ｂ、２１２Ｂ、２２２Ｂ、２３２Ｂ、２４２Ｂ、２１３Ｂ、２２３Ｂ、２３３Ｂ、２４３Ｂ  側面
２１１Ｃ、２２１Ｃ、２３１Ｃ、２４１Ｃ、２１２Ｃ、２２２Ｃ、２３２Ｃ、２４２Ｃ、２１３Ｃ、２２３Ｃ、２３３Ｃ、２４３Ｃ  側面
２１１Ｄ、２２１Ｄ、２３１Ｄ、２４１Ｄ、２１２Ｄ、２２２Ｄ、２３２Ｄ、２４２Ｄ、２１３Ｄ、２２３Ｄ、２３３Ｄ、２４３Ｄ  側面
２１１ＡＡ、２２１ＡＡ、２３１ＡＡ、２４１ＡＡ、２１２ＡＡ、２２２ＡＡ、２３２ＡＡ、２４２ＡＡ、２１３ＡＡ、２２３ＡＡ、２３３ＡＡ、２４３ＡＡ  側面
２３１Ｄ‘、２３３Ｄ‘  側面
３Ａ、３Ｂ、３Ｃ、３Ｄ、３ａ、３ｂ、３ｃ、３ｄ（３）  底面部
３１Ａ、３２Ａ、３３Ａ、３４Ａ  底面
４１Ａ、４２Ａ、４３Ａ、４４Ｂ、４５Ｃ、４６Ｃ、４７Ｄ、４８Ｄ、４９Ｄ  糊代片
５  ジッパー片
５１Ａ、５２Ａ、５３Ａ、５４Ａ、５１ＡＡ、５２ＡＡ、５３ＡＡ、５４ＡＡ、５５Ｂ、５６Ｂ、５７Ｂ、５８Ｂ、５９Ｂ、６０Ｂ、６１Ｂ、６２Ｂ、６３Ｄ‘  ジッパー片
１０  支脚
Ｅ１、Ｅ２、Ｆ１、Ｆ２、Ｇ１、Ｇ２、Ｈ１、Ｈ２、Ｐ、Ｑ、Ｒ、Ｓ、Ｑ‘  折り目
Ｊ１、Ｊ２、Ｋ１、Ｋ２、Ｌ１、Ｌ２、Ｖ１、Ｖ２、Ｖ３、Ｖ４、Ｖ５、Ｖ６、Ｗ  切れ目
Ｍ１、Ｍ２、Ｍ３、Ｍ４、Ｎ１、Ｎ２、Ｎ３、Ｎ４、Ｔ１、Ｔ２、Ｔ３、Ｔ４、Ｕ１、Ｕ２、Ｕ３、Ｕ４  ジッパー切れ目
Ｘ  稜線
Ｙ  床面
Ｚ  商品
【図１】
2007216974.tif 000003
【図２】
2007216974.tif 000004
【図３】
2007216974.tif 000005
【図４】
2007216974.tif 000006
【図５】
2007216974.tif 000007
【図６】
2007216974.tif 000008
【図７】
2007216974.tif 000009
【図８】
2007216974.tif 000010
【図９】
2007216974.tif 000011
【図１０】
2007216974.tif 000012
【図１１】
2007216974.tif 000013
【図１２】
2007216974.tif 000014
【図１３】
2007216974.tif 000015
【図１４】
2007216974.tif 000016
【図１５】
2007216974.tif 000017
【図１６】
2007216974.tif 000018
【図１７】
2007216974.tif 000019
【図１８】
2007216974.tif 000020
【図１９】
2007216974.tif 000021
【図２０】
2007216974.tif 000022
【図２１】
2007216974.tif 000023